(57)【要約】      （修正有） 【課題】呼吸がしやすく、また、女性にとっても口紅が付着することはないため清潔な状態で使用できる。【解決手段】マスク10は通常のマスクであり、マスク本体11の両側に掛け止め紐12が繋がれている。筒体20は、紙，合成樹脂等によって形成され、内径は大体６．５ｃｍ位、高さは大体１．５ｃｍ位である。通気性シート30は、筒体20の前面に張設され、メッシュシート，ガーゼ等が該当し、その材料は織布，不織布，紙等如何なるものであってもよい。筒状のスカート部40は、筒体20の背面端縁に連設され、非通気性シートによって形成され、そのその材料は織布，不織布，紙等如何なるものであってもよい。含水シート50は、前記マスク本体11と筒体20の前面（通気性シート30）との間に挟まれて使用され、織布，不織布，紙等のシートに水を含ませたものである。【選択図】図１
0003110567.tif 000002
【実用新案登録請求の範囲】
【請求項１】
筒体の底面ををマスク本体の裏面に着脱可能に接触させたことを特徴とするマスク用サポーター装置。
【請求項２】
請求項１のマスク用サポーター装置において、前記筒体の前面を通気性シートで覆い、この前面をマスク本体の裏面に着脱可能に接触させたことを特徴とするマスク用サポーター装置。
【請求項３】
請求項１のマスク用サポーター装置において、前記筒体の背面端縁に柔軟なスカート部を設けたことを特徴とするマスク用サポーター装置。 
【請求項４】
請求項１のマスク用サポーター装置において、前記筒体の背面端縁に鼻用湾曲部を形成したことを特徴とするマスク用サポーター装置。
【請求項５】
請求項１のマスク用サポーター装置において、前記筒体の背面端縁に顎用湾曲部を形成したことを特徴とするマスク用サポーター装置。
【請求項６】
請求項１又は請求項８のマスク用サポーター装置において、前記筒体の前面と前記マスク本体との間に含水シートを着脱可能に挟持したことを特徴とするマスク用サポーター装置。
【請求項７】
請求項１のマスク用サポーター装置において、前記筒体の背面端縁に鼻用切欠き部を形成したことを特徴とするマスク用サポーター装置。
【請求項８】
請求項１のマスク用サポーター装置において、前記筒体の背面端縁の外側に顎接触用湾曲部を形成したことを特徴とするマスク用サポーター装置。
【請求項９】
請求項１，請求項６又は請求項７のマスク用サポーター装置において、前記筒体の下端縁に支持用シートを連設したことを特徴とするマスク用サポーター装置。
【請求項１０】
請求項１，請求項６又は請求項７のマスク用サポーター装置において、前記筒体を柔軟性シート材によって形成したことを特徴とするマスク用サポーター装置。
【請求項１１】
請求項８のマスク用サポーター装置において、前記筒体の支持用シートと前記マスク本体との間に含水シートを着脱可能に挟持したことを特徴とするマスク用サポーター装置。
【考案の詳細な説明】
【技術分野】
【０００１】
この考案はマスク用サポーター装置に関し、マスクを使用する人がマスクと呼吸器（鼻・口）との間に配置して使用するものである。
【背景技術】
【０００２】
従来、マスクは、鼻・口を覆って病菌又は塵埃などが体内に進入するのを防止している。
【０００３】
【特許文献１】特開平６−  ３９０５１号公報
【特許文献２】特開平６−２４１３４９号公報
【考案の開示】
【考案が解決しようとする課題】
【０００４】
しかしながら、かかる従来のマスクにあっては、鼻・口を覆った際に、その裏面が唇にあたっていたため、使用者は呼吸がしにくく、また、女性にとっては口紅が付着して汚れやすいという不都合を有し、又、含水シートを使用するとそのシートが直接顔面に当たり不快感を与えるという不都合を有した。
【０００５】
この考案の課題はかかる不都合を解消することである。
【課題を解決するための手段】
【０００６】
上記課題を達成するために、この考案に係るマスク用サポーター装置においては、筒体の前面ををマスク本体の裏面に着脱可能に接触させたものである。
【０００７】
なお、前記筒体の前面を通気性シートで覆い、この前面をマスク本体の裏面に着脱可能に接触させることもできる。
【０００８】
また、前記筒体の背面端縁に柔軟なスカート部を設けることもできる。
【０００９】
また、前記筒体の背面端縁に鼻用湾曲部を形成することもできる。
【００１０】
また、前記筒体の背面端縁に顎用湾曲部を形成することもできる。
【００１１】
また、前記筒体の前面と前記マスク本体との間に含水シートを着脱可能に挟持することもできる。
【００１２】
さらに、前記筒体の背面端縁に鼻用切欠き部を形成することもできる。
【００１３】
また、この筒体の背面端縁の外側に顎接触用湾曲部を形成することもできる。
【００１４】
また、この筒体の下端縁に支持用シートを連設することもできる。
【００１５】
また、この筒体を柔軟性シート材によって形成することもできる。
【００１６】
また、この筒体の支持用シートと前記マスク本体との間に含水シートを着脱可能に挟持することもできる。
【考案の効果】
【００１７】
この考案に係るマスク用サポーター装置は上記のように構成されているため、使用者は、筒体を介してその唇をマスク本体の裏面に対向させることができるものである。
【００１８】
よって、このマスク用サポーター装置を使用すれば、マスク本体が鼻・口を覆った際に、使用者の唇がマスク本体の裏面に接触することはないため、使用者は口が呼吸がしやすく、また、女性にとっても口紅が付着することはないため清潔な状態で使用できるものである。
【００１９】
なお、前記筒体の前面を通気性シートで覆い、この前面をマスク本体の裏面に着脱可能に接触させれば、この筒体とマスク本体との間に含水シート等を挟みやすいものである。
【００２０】
また、前記筒体の背面端縁に柔軟なスカート部を設ければ、筒体の背面端縁と使用者の顔面との境界部をこのスタート部で覆うことができ、気密性を維持することができる。
【００２１】
また、前記筒体の背面端縁の上に鼻用湾曲部を形成すれば使用者の鼻を嵌挿させることができるため、筒体の背面端縁と使用者の顔面との気密性をより向上させやすいものである。
【００２２】
また、前記筒体の背面端縁に顎用湾曲部を形成すれば、使用者の顎を嵌挿させることができるため、筒体の背面端縁と使用者の顔面との気密性をより向上させやすいものである。
【００２３】
また、前記筒体の前面と前記マスク本体との間に含水シートを着脱可能に挟持すれば、使用者の唇に接することなく含水シートをマスク本体の裏面に装着することができるため、使用者は含水シートの効能（例えば、そのシートに塵埃又は雑菌等又は花粉が吸着してその予防）を十分に受けることができる。
【００２４】
さらに、前記筒体の背面端縁に鼻用切欠き部を形成すれば、この鼻用切欠き部に使用者の鼻を嵌挿させることができるため、筒体の背面端縁と使用者の顔面との気密性をより向上させやすいものである。
【００２５】
また、この筒体の背面端縁の外側に顎接触用湾曲部面を形成すれば、この顎接触用湾曲部面に使用者の顎を当てることができるため、筒体の背面端縁と使用者の顔面との気密性をより一層向上させやすい。
【００２６】
また、この筒体の下端縁に支持用シートを連設させれば、この筒体とマスク本体との間に含水シート等を挟みやすいものである。
【００２７】
また、この筒体を柔軟性シート材によって形成すれば、使用者の顔面に違和感無くフットしやすいものである。
【００２８】
また、この筒体の支持用シートと前記マスク本体との間に含水シートを着脱可能に挟持すれば、使用者の唇に接することなく含水シートをマスク本体の裏面に装着安定良くすることができるため、使用者は含水シートの効能（例えば、そのシートに塵埃又は雑菌等又は花粉が吸着してその予防）を十分に受けることができる。
【考案を実施するための最良の形態】
【００２９】
この考案は、筒体の前面を通気性シートで覆い、この前面をマスク本体の裏面に着脱可能に接触させたところに最も主要な特徴を有する。マスクを快適な状態で使用する際に適用しやすいものである。
【実施例】
【００３０】
図１はこの考案に係るマスク用サポーター装置の斜視図、図２は図１におけるII矢視の部分断面図、図３は図１におけるIII 矢視図、図４は使用状態断面図、図５は他の実施例の正面図、図６は同背面図、図７は同使用状態図である。
【００３１】
図１〜図４において、Ｓはこの考案に係るマスク用サポーター装置である。また、10はマスクである。このマスク10は通常のマスクであり、マスク本体11の両側に掛け止め紐12,12 が繋がれている。
【００３２】
20は筒体であり、紙，合成樹脂等によって形成されている。この筒体20の内径は大体６．５ｃｍ位であり、高さは大体１．５ｃｍ位である。
【００３３】
21は鼻用湾曲部であり（図２を参照のこと）、前記筒体20の背面端縁（使用者側）の上部に形成されている。前記マスク用サポーター装置Ｓを使用する際に、この鼻用湾曲部21には、使用者Ｍの鼻頂部が略隙間無く嵌挿する。
【００３４】
また、22は顎用湾曲部であり（図３を参照のこと）、前記筒体20の背面端縁（使用者側）の下部に形成されている。前記マスク用サポーター装置Ｓを使用する際に、この顎用湾曲部22には、使用者Ｍの顎先端部が略隙間無く嵌挿する。
【００３５】
30は通気性シートであり、前記筒体20の前面に張設されている。この通気性シート30には、メッシュシート，ガーゼ等が該当し、その材料は織布，不織布，紙等如何なるものであってもよい。
【００３６】
40は筒状のスカート部であり、前記筒体20の背面端縁に連設されている。このスカート部40は非通気性シートによって形成され、そのその材料は織布，不織布，紙等如何なるものであってもよい。このスカート部40は、前記マスク用サポーター装置Ｓを使用する際に、この筒体20と使用者Ｍの顔面との境界部の気密性を確保するためのものである（図４を参照のこと）。
【００３７】
50は含水シートであり、前記マスク本体11と前記筒体20の前面（通気性シート30）との間に挟まれて使用される。この含水シート50は織布，不織布，紙等のシートに水を含ませたものである。シートは一枚でも複数重ねたものであってもよい。このように、含水シート50を挟むことによって、そのシートに塵埃，花粉等が吸着して従来のマスクより防塵・防菌の効果を発揮させることができる。また、水以外にカテキン等防菌・殺菌剤等を含ませればなお効果があり、また、香料などを含ませると爽やかなる効果を奏することができる。
【００３８】
次に、図５〜図７は他の実施例を説明したものである。
図において、筒体60は柔軟なシート材で形成されている。61は鼻用切り欠き部であり（図５及び図７を参照のこと）、前記筒体60の背面の背面端縁に形成されている。この鼻用切り欠き部61には、前記マスク用サポーター装置Ｓを使用する際に、使用者Ｍの鼻頂部が略隙間無く嵌挿する。
【００３９】
また、62は顎接触用湾曲部であり（図５及び図７を参照のこと）、前記筒体20の背面端縁（使用者側）の下部における外側面に形成されている。前記マスク用サポーター装置Ｓを使用する際に、この顎用接触湾曲部62には、使用者Ｍの顎先端部が略隙間無く嵌挿する。
【００４０】
63は支持シートであり、前記筒体60の前面における下端縁に一体形成されている。この支持シート63は前記筒体60の前面に沿って折り曲げられて使用される。    
【００４１】
なお、図５及び図６に示すように、この筒体60の断面形状（横断面）は前記顎用接触湾曲部62を底辺とし、前記鼻用切り欠き部61を頂点とした二等辺三角形上をしている。また、この筒体60は逆ラッパ上に先端に向かって漸次縮径している。
【産業上の利用可能性】
【００４２】
この考案に係るマスク用サポーター装置は、筒体を介してその唇をマスク本体の裏面に対向させることができるため、マスク本体が鼻・口を覆った際に、使用者の唇がマスク本体の裏面に接触することはないため、呼吸がしやすく、また、口紅が付着することのないマスク用サポーター装置として利用することができる。
【図面の簡単な説明】
【００４３】
【図１】この考案に係るマスク用サポーター装置の斜視図である。
【図２】図１におけるII矢視の部分断面図である。
【図３】図１におけるIII 矢視図である。
【図４】上記実施例の使用状態断面図である。
【図５】他の実施例の正面図である。
【図６】他の実施例の背面図である。
【図７】他の実施例の使用状態図である。
【符号の説明】
【００４４】
Ｓ  …  マスク用サポーター装置
Ｍ  …  使用者
10  …  マスク
11  …  マスク本体
12  …  掛け止め紐
20  …  筒体
21  …  鼻用湾曲部
22  …  顎用湾曲部
30  …  通気性シート
40  …  スカート部
50  …  含水シート
60  …  筒体
61  …  鼻用切り欠き部
62  …  顎接触用湾曲部
63  …  支持シート
【図１】
0003110567.tif 000003
【図２】
0003110567.tif 000004
【図３】
0003110567.tif 000005
【図４】
0003110567.tif 000006
【図５】
0003110567.tif 000007
【図６】
0003110567.tif 000008
【図７】
0003110567.tif 000009
【手続補正書】
【提出日】平成17年2月24日(2005.2.24)
【手続補正１】
【補正対象書類名】実用新案登録請求の範囲
【補正対象項目名】全文
【補正方法】変更
【補正の内容】
【実用新案登録請求の範囲】
【請求項１】
筒体の底面をマスク本体の裏面に着脱可能に接触させたことを特徴とするマスク用サポーター装置。
【請求項２】
請求項１のマスク用サポーター装置において、前記筒体の前面を通気性シートで覆い、この前面をマスク本体の裏面に着脱可能に接触させたことを特徴とするマスク用サポーター装置。
【請求項３】
請求項１のマスク用サポーター装置において、前記筒体の背面端縁に柔軟なスカート部を設けたことを特徴とするマスク用サポーター装置。  
【請求項４】
請求項１のマスク用サポーター装置において、前記筒体の背面端縁に鼻用湾曲部を形成したことを特徴とするマスク用サポーター装置。
【請求項５】
請求項１のマスク用サポーター装置において、前記筒体の背面端縁に顎用湾曲部を形成したことを特徴とするマスク用サポーター装置。
【請求項６】
請求項１のマスク用サポーター装置において、前記筒体の前面と前記マスク本体との間に含水シートを着脱可能に挟持したことを特徴とするマスク用サポーター装置。
【請求項７】
請求項１のマスク用サポーター装置において、前記筒体の背面端縁に鼻用切欠き部を形成したことを特徴とするマスク用サポーター装置。
【請求項８】
請求項１のマスク用サポーター装置において、前記筒体の背面端縁の外側に顎接触用湾曲部を形成したことを特徴とするマスク用サポーター装置。
【請求項９】
請求項１，請求項６又は請求項７のマスク用サポーター装置において、前記筒体の下端縁に支持用シートを連設したことを特徴とするマスク用サポーター装置。
【請求項１０】
請求項１，請求項６又は請求項７のマスク用サポーター装置において、前記筒体を柔軟性シート材によって形成したことを特徴とするマスク用サポーター装置。
【請求項１１】
請求項８のマスク用サポーター装置において、前記筒体の支持用シートと前記マスク本体との間に含水シートを着脱可能に挟持したことを特徴とするマスク用サポーター装置。